【手続補正書】
【提出日】平成26年7月8日(2014.7.8)
【手続補正１】
【補正対象書類名】特許請求の範囲
【補正対象項目名】全文
【補正方法】変更
【補正の内容】
【特許請求の範囲】
【請求項１】
第１の方向と前記第１の方向に直交する第２の方向に配列された複数の画素を備えた表示装置の表示面に重畳して使用され、指示体が指示する位置を検出するための位置検出センサであって、
前記第１の方向に配置された光透過性を有する複数本の電極と、前記第２の方向に配置された光透過性を有する複数本の電極によるグリッド構成を備え、
前記第１の方向に互いが近傍に配置された２本の前記電極と前記第２の方向に互いが近傍に配置された２本の前記電極が互いに交差する４つのクロスポイントで形成される領域は矩形を形成し、
前記矩形の領域のうちの前記電極が形成されていない領域には、前記位置検出センサとしての均一な光学特性を得るように、所定の光透過性を有するダミーパターンが前記矩形の領域に形成された前記電極に近接して配置されると共に、前記ダミーパターンは電気的に遊離して配置され、
前記第１の方向に配置された光透過性を有する前記複数本の電極のそれぞれは、互いが近傍に位置する２つのクロスポイントの間において、前記第１の方向に配置された複数の前記画素との間でのモアレ効果を防止するように、前記第１の方向に対して所定の傾きを有する形状にした
ことを特徴とする位置検出センサ。
【請求項２】
前記第１の方向に配置された光透過性を有する前記複数本の電極のそれぞれは、前記指示体が指示する位置の検出精度のために、前記第１の方向の直線を対称軸とした線対称となるような形状を有している
ことを特徴とする請求項１に記載の位置検出センサ。
【請求項３】
前記第１の方向に配置された光透過性を有する前記複数本の電極のそれぞれは、互いが近傍に位置する前記２つのクロスポイントの間において、前記２つのクロスポイントを構成する一方のクロスポイントから他方のクロスポイントに向かう方向に正の傾きと負の傾きを有する形状を有している
ことを特徴とする請求項１に記載の位置検出センサ。
【請求項４】
前記傾きは、前記２つのクロスポイントを構成する一方のクロスポイントから他方のクロスポイントに向かう方向に従って順次変化させることで丸みを有する形状を有する
ことを特徴とする請求項１に記載の位置検出センサ。
【請求項５】
前記正の傾きと負の傾きを有する形状は、前記２つのクロスポイントを構成する一方のクロスポイントから他方のクロスポイントに向かう方向に繰り返される形状を有している
ことを特徴とする請求項３に記載の位置検出センサ。
【請求項６】
指示体による位置指示に対応した静電容量の変化を検出するための静電容量方式の位置検出センサである
ことを特徴とする請求項１に記載の位置検出センサ。
【請求項７】
前記位置検出センサと前記指示体との間は電磁誘導方式で結合されることで、前記指示体によって指示された位置を求めるようにした
ことを特徴とする請求項１に記載の位置検出センサ。
【請求項８】
前記位置検出センサとは独立して、前記指示体に電磁誘導信号を供給するための励磁コイルを備えるとともに、前記励磁コイルは、前記表示装置の前記表示面に対応した面の側に配置され、あるいは前記表示装置の前記表示面の側であって前記位置検出センサの近傍に配置されている
ことを特徴とする請求項７に記載の位置検出センサ。
【請求項９】
前記第１の方向に配置された光透過性を有する前記複数本の電極、および前記第２の方向に配置された光透過性を有する前記複数本の電極は、光透過性を有する基材の一方の面の側にそれぞれが配置されている
ことを特徴とする請求項１に記載の位置検出センサ。
【請求項１０】
前記第１の方向に配置された光透過性を有する前記複数本の電極は、光透過性を有する基材の一方の面の側に位置すると共に、前記第２の方向に配置された光透過性を有する前記複数本の電極は、前記光透過性を有する基材の他方の面の側に位置している
ことを特徴とする請求項１に記載の位置検出センサ。
【請求項１１】
前記ダミーパターンは、少なくとも前記第１の方向に配置された前記電極の形状に対応した形状を有する
ことを特徴とする請求項１に記載の位置検出センサ。
【請求項１２】
前記ダミーパターンは、前記電極と同じ材質で構成されている
ことを特徴とする請求項１に記載の位置検出センサ。
【請求項１３】
前記ダミーパターンは、複数のパターンから構成されており、前記複数のパターンの間には所定の隙間が形成されているとともに、前記隙間は少なくとも前記第１の方向とは異なる方向に形成されている
ことを特徴とする請求項１に記載の位置検出センサ。
【請求項１４】
前記複数のパターンのそれぞれは、互いに電気的に遊離している
ことを特徴とする請求項１３に記載の位置検出センサ。
【請求項１５】
前記複数のパターンは、前記指示体が指示する位置の検出精度のために、所定の直線を軸とした線対称パターンあるいは所定の点を基準とした点対称パターンとなるように形成されている
ことを特徴とする請求項１４に記載の位置検出センサ。
【請求項１６】
請求項１に記載の位置検出センサを備えると共に、
前記位置検出センサを構成する、前記第２の方向に配置された光透過性を有する前記複数本の電極に対して所定の送信信号を供給するための送信信号供給回路と、
前記第１の方向に配置された光透過性を有する前記複数本の電極から信号を受信するための信号受信回路と
を備えていることを特徴とする位置検出装置。
【手続補正２】
【補正対象書類名】明細書
【補正対象項目名】００１３
【補正方法】変更
【補正の内容】
【００１３】
この問題点を解決するために、特許文献２（特開２０１１−３０３５号公報）の段落［０１１５］〜［０１２０］および図１８〜図１９には、隣り合う上部電極１１０と隣り合う下部電極１１２とで囲まれる矩形領域に、光透過性材料、例えば上部電極１１０および下部電極１１２と同じＩＴＯ膜からなるダミーパターン１１４を配するようにしたクロスポイント静電容量方式のセンサが開示されている。この場合、ダミーパターン１１４は、上部電極１１０および下部電極１１２とは電気的に互いに独立しており、かつ、電気的に遊離している状態（フローティングの状態）とされている。この特許文献２の位置検出センサによれば、上部電極１１０および下部電極１１２に近接して配置されたダミーパターン１１４の存在により、透過率のむらを抑制して、均一な光学特性を保持することができる。
【手続補正３】
【補正対象書類名】明細書
【補正対象項目名】００１６
【補正方法】変更
【補正の内容】
【００１６】
特許文献３（米国公開公報Ｎｏ.２００９／０２７３５７７Ａ１）には、この位置検出装置のセンサの電極と表示装置の画素配列との間でのモアレ効果を軽減あるいは防止することができる発明が開示されている。
【手続補正４】
【補正対象書類名】明細書
【補正対象項目名】００１９
【補正方法】変更
【補正の内容】
【００１９】
【特許文献１】特開２００９−９２４９号公報
【特許文献２】特開２０１１−３０３５号公報
【特許文献３】米国公開公報Ｎｏ.２００９／０２７３５７７Ａ１
【手続補正５】
【補正対象書類名】明細書
【補正対象項目名】００２３
【補正方法】変更
【補正の内容】
【００２３】
上記の課題を解決するために、請求項１の発明は、
第１の方向と前記第１の方向に直交する第２の方向に配列された複数の画素を備えた表示装置の表示面に重畳して使用され、指示体が指示する位置を検出するための位置検出センサであって、
前記第１の方向に配置された光透過性を有する複数本の電極と、前記第２の方向に配置された光透過性を有する複数本の電極によるグリッド構成を備え、
前記第１の方向に互いが近傍に配置された２本の前記電極と前記第２の方向に互いが近傍に配置された２本の前記電極が互いに交差する４つのクロスポイントで形成される領域は矩形を形成し、
前記矩形の領域のうちの前記電極が形成されていない領域には、前記位置検出センサとしての均一な光学特性を得るように、所定の光透過性を有するダミーパターンが前記矩形の領域に形成された前記電極に近接して配置されると共に、前記ダミーパターンは電気的に遊離して配置され、
前記第１の方向に配置された光透過性を有する前記複数本の電極のそれぞれは、互いが近傍に位置する２つのクロスポイントの間において、前記第１の方向に配置された複数の前記画素との間でのモアレ効果を防止するように、前記第１の方向に対して所定の傾きを有する形状にした
ことを特徴とする位置検出センサを提供する。
【手続補正６】
【補正対象書類名】明細書
【補正対象項目名】００２６
【補正方法】変更
【補正の内容】
【００２６】
そして、請求項２の発明においては、第１の方向に配置された光透過性を有する複数本の電極のそれぞれは、第１の方向の直線を対称軸とした線対称となるような形状を有しているように構成する。すなわち、第１の方向に配置された光透過性を有するそれぞれの電極の幅、すなわち第２の方向における長さ、の中点を結んだ中心線（線対称の対称軸）は、位置検出のための基準線となるが、この発明では、この基準線が第１の方向に平行な直線となるようにされる。したがって、この発明では、この点においても、検出位置を補正するための信号補正処理は必要なく、指示体が指示する位置を精度良く検出できる。
【手続補正７】
【補正対象書類名】明細書
【補正対象項目名】００２７
【補正方法】変更
【補正の内容】
【００２７】
この発明による位置検出センサによれば、グリッド構成のセンサパターンにダミーパターンを配置することでセンサ領域の全体に渡って均一な光透過性を確保することができる。また、表示装置の表示面に重畳して配置した際に、ダミーパターンの配置に起因する、表示面の画素配列と位置検出センサとの間でのモアレの発生を軽減または防止することができる。更には、信号処理回路における補正処理を実行しなくても、指示体が指示する位置を精度良く検出することができる。
【手続補正８】
【補正対象書類名】明細書
【補正対象項目名】００７４
【補正方法】変更
【補正の内容】
【００７４】
この例では、Ｙ軸方向に同一色の副画素３４Ｒ，３４ＢＧ，３４Ｂのそれぞれが一列に並べられており、このＹ軸方向の画素配列と、センサ２０のＹ軸方向の第１の透明電極２４との間でモアレ効果が生じ易くなる。
【手続補正９】
【補正対象書類名】明細書
【補正対象項目名】０１１５
【補正方法】変更
【補正の内容】
【０１１５】
そして、分割ダミーパターンＤＰＲにおいては、Ｘ軸方向に、小ダミーパターン７１が２度繰り返し、次に楔形の小ダミーパターン７５が続き、更に小ダミーパターン７３が２度繰り返す配列パターンと、Ｘ軸方向に、小ダミーパターン７２が２度繰り返し、次に楔形の小ダミーパターン７６が続き、更に小ダミーパターン７４が２個度繰り返す配列パターンとが、Ｙ軸方向に、２回繰り返すパターンとなる。
【手続補正１０】
【補正対象書類名】明細書
【補正対象項目名】０１２５
【補正方法】変更
【補正の内容】
【０１２５】
検出コイル基板８２においては、図８に示すように、例えばＩＴＯ膜からなる検出用ループコイル８２２Ｘと８２２Ｙが、グリッド状に形成されると共に、その周部には信号処理回路部８００が設けられる。検出用ループコイル８２２Ｘは、Ｙ軸方向に配置された長尺部を備え、検出コイル基板８２上に、Ｘ軸方向に所定の間隔で、複数本配置されている。検出用ループコイル８２２Ｙは、Ｘ軸方向に配置された長尺部を備え、検出コイル基板８２上に、Ｙ軸方向に所定の間隔で、複数本配置されている。